(57)【要約】【課題】分電盤で分けられた配電路ごとに電力メータによる計測値に対応した消費電力量を把握する。【解決手段】分電盤で分けられた複数の配電路に共通の電力メータを介して供給される電力を管理する電力管理装置であって、配電路ごとに、当該配電路に接続された負荷による使用量を計測した計測値と電力メータによる計測値とから、使用量の計測値を、電力メータによる計測値に対応させるように補正するための補正係数を取得する係数取得部と、配電路ごとの使用量の計測値を、取得した当該配電路の補正係数を用いて補正する補正部と、を備える。【選択図】図２
2016185036.tif 000002
【特許請求の範囲】
【請求項１】
分電盤で分けられた複数の配電路に共通の電力メータを介して供給される電力を管理する電力管理装置であって、
前記配電路ごとに、当該配電路に接続された負荷による使用量を計測した計測値と前記電力メータによる計測値とから、前記使用量の計測測値を、前記電力メータによる計測値に対応させるように補正するための補正係数を取得する係数取得部と、
前記配電路ごとの前記使用量の計測値を、前記取得した当該配電路の補正係数を用いて補正する補正部と、を備える、電力管理装置。
【請求項２】
前記補正部による補正後の計測値を出力する出力部をさらに備える、請求項１に記載の電力管理装置。
【請求項３】
前記出力部は、前記補正部による補正後の計測値を前記配電路に関する識別情報と関連付けて出力する、請求項２に記載の電力管理装置。
【請求項４】
電力メータと、
分電盤で分けられた複数の配電路に前記電力メータを共通にして供給される電力を管理する電力管理装置と、
前記配電路ごとに、当該配電路に接続された負荷による使用量を計測する電力計測装置と、を備え、
前記電力管理装置は、
前記配電路ごとに、当該配電路の電力計測装置による計測値と前記電力メータによる計測値とから、当該配電路の電力計測装置による計測値を、前記電力メータによる計測値に対応させるように補正するための補正係数を取得する係数取得部と、前記配電路ごとの電力計測装置による計測値を、前記取得した当該配電路の補正係数を用いて補正する補正部とを含む、電力管理システム。
【請求項５】
分電盤で分けられた配電路に共通の電力メータを介して供給される電力を管理する電力管理方法であって、
前記配電路ごとに、当該配電路に接続された負荷による使用量を計測するステップと、
前記配電路ごとに、当該配電路の前記使用量の計測値と、前記電力メータによる計測値とから、前記使用量の計測値を、前記電力メータによる計測値に対応させるように補正するための補正係数を取得するステップを備える、電力管理方法。
【請求項６】
前記配電路ごとの前記使用量の計測値を、当該配電路について取得されている前記補正係数を用いて補正するステップをさらに備える、請求項５に記載の電力管理方法。
【発明の詳細な説明】
【技術分野】
【０００１】
本発明は電力管理装置、電力管理システムおよび電力管理方法に関する。
【背景技術】
【０００２】
従来、宅内の電気使用量の情報を提供するシステムが提案されている。例えば、特許文献１（特開２００９−１３０９８３号公報)のシステムは、宅内の分電盤の各分岐電路について電気使用量を演算し、分岐電路毎に算出された電気使用量の情報を携帯端末に表示する。
【０００３】
また、特許文献２（特開２０１３−２４０１３１号公報)のシステムは、負荷側の配電線において計測装置により計測された総電力使用量を、当該総電力使用量が電力メータにより計測された需要家における総電力使用量に一致するように補正し、補正後の総電力使用量を表示する。
【先行技術文献】
【特許文献】
【０００４】
【特許文献１】特開２００９−１３０９８３号公報
【特許文献２】特開２０１３−２４０１３１号公報
【発明の概要】
【発明が解決しようとする課題】
【０００５】
しかしながら、配電線の計測装置および電力メータ等には回路のばらつきがあり、当該ばらつきにより計測装置と電力メータの各計測値は一致しない。したがって、このような回路のばらつきを考慮して計測値を補正することが望ましいが、特許文献１，２では、このような回路のばらつきを考慮した電力使用量の補正処理は行われていない。
【０００６】
それゆえに、本開示のある局面における目的は、分電盤で分けられた配電路ごとに電力メータによる計測値に対応した消費電力量を把握することができる電力管理装置、電力管理システムおよび電力管理方法を提供することである。
【課題を解決するための手段】
【０００７】
一実施の形態に従う電力管理装置は、分電盤で分けられた複数の配電路に共通の電力メータを介して供給される電力を管理する電力管理装置である。
【０００８】
電力管理装置は、配電路ごとに、当該配電路に接続された負荷による使用量を計測した計測値と電力メータによる計測値とから、使用量の計測値を、電力メータによる計測値に対応させるように補正するための補正係数を取得する係数取得部と、配電路ごとの使用量の計測値を、取得した当該配電路の補正係数を用いて補正する補正部と、を備える。
【０００９】
好ましくは、電力管理装置は、補正部による補正後の計測値を出力する出力部をさらに備える。
【００１０】
好ましくは、出力部は、補正部による補正後の計測値を配電路に関する識別情報と関連付けて出力する。
【００１１】
他の実施の形態に従う電力管理システムは、電力メータと、分電盤で分けられた複数の配電路に電力メータを共通にして供給される電力を管理する電力管理装置と、配電路ごとに、当該配電路に接続された負荷による使用量を計測する電力計測装置と、を備える。
【００１２】
電力管理装置は、配電路ごとに、当該配電路の電力計測装置による計測値と電力メータによる計測値とから、当該配電路の電力計測装置による計測値を、電力メータによる計測値に対応させるように補正するための補正係数を取得する係数取得部と、配電路ごとの電力計測装置による計測値を、取得した当該配電路の補正係数を用いて補正する補正部とを含む。
【００１３】
さらに他の実施の形態に従う電力管理方法は、分電盤で分けられた複数の配電路に共通の電力メータを介して供給される電力を管理する方法である。方法は、配電路ごとに、当該配電路に接続された負荷による使用量を計測するステップと、配電路ごとに、当該配電路の使用量の計測値と、電力メータによる計測値とから、使用量の計測値を、電力メータによる計測値に対応させるように補正するための補正係数を取得するステップを備える。
【００１４】
上述の電力管理方法は、配電路ごとの使用量の計測値を、当該配電路について取得されている補正係数を用いて補正するステップをさらに備える。
【発明の効果】
【００１５】
本発明によれば、配電路ごとに電力メータによる計測値に対応した消費電力量を把握することができる。
【図面の簡単な説明】
【００１６】
【図１】本実施の形態１に係る電力管理システム１の構成を示す概略図である。
【図２】電力管理システム１の各機器の具体的構成を説明するためのブロック図である。
【図３】ＨＥＭＳコントローラ１１の制御部１０１の具体的な構成を説明するための機能ブロック図である。
【図４】本発明の実施の形態に係る補正係数テーブル８７０の一例を示す図である。
【図５】本発明の実施の形態に係る補正後電力値テーブル８８０の一例を示す図である。
【図６】本発明の実施の形態に係る設置モードの処理を示すフローチャートである。
【図７】本発明の実施の形態に係る稼働モードの処理を示すフローチャートである。
【図８】本発明の実施の形態に係る補正後の消費電力値の表示例を示す図である。
【発明を実施するための形態】
【００１７】
以下、図面を参照しつつ、本実施の形態に係る電力管理装置について説明する。また、以下の説明では、同一の部材には同一の参照符号を付してある。それらの名称および機能も同じである。したがって、それらについての詳細な説明は繰り返さない。
【００１８】
＜技術思想＞
本実施の形態に係る技術思想は、以下のとおりである。すなわち、電力管理装置は、分電盤で分けられた複数の配電路に共通の電力メータを介して供給される電力を管理するように、係数取得部と補正部とを有する。
【００１９】
係数取得部は、配電路ごとに、当該配電路に接続された負荷による使用量を計測した計測値と電力メータによる計測値とから、使用量の計測測値を、電力メータによる計測値に対応させるように補正するための補正係数を取得する。補正部は、配電路ごとの使用量の計測値を、取得した当該配電路の補正係数を用いて補正する。
【００２０】
[実施の形態１]
＜電力管理システムの概要＞
図１は、本実施の形態１に係る電力管理システム１の構成を示す概略図である。図１を参照して、電力管理システム１は、ＨＥＭＳ（Home Energy Management System）コントローラ１１、端末装置１２、アクセスポイントである無線ルータ２０、電力メータ３０、分電盤４０、電力計測装置５０、複数の家電６１，６２，６３、およびサーバ装置７０を備える。ＨＥＭＳコントローラ１１は、「電力管理装置」の一実施例である。
【００２１】
以下では、また、家電６１，６２，６３の各々を区別しない場合には、「家電」と称する。家電は、「負荷」の一実施例である。
【００２２】
無線ルータ２０、ＨＥＭＳコントローラ１１、分電盤４０および電力計測装置５０は、住宅等の建物９００内に設置されている。電力メータ３０は、典型的には、建物９００の外に設置される。以下では、建物９００の内側を「宅内」と称し、また建物９００の外側を「宅外」と称する。なお、電力メータ３０は宅外に限定されず、宅内に設置されてもよい。
【００２３】
電力メータ３０は、宅外の商用電源部３００から宅内に供給される電力を一定間隔毎に計測する。商用電源部３００は、電力会社等が備える電線等の電力供給設備に相当する。宅内への供給電力は、宅内の家電を稼働するために消費される。したがって、電力メータ３０が計測する供給電力量は、宅内での消費電力量（使用電力量）に相当する。電力メータ３０は、電力会社が遠隔による自動検針を行なうための通信機能を備える。さらに、電力メータ３０は、宅内との通信機能を有する。具体的には、電力メータ３０は、ＨＥＭＳコントローラ１１と通信可能に構成されている。
【００２４】
分電盤４０は、宅外の商用電源部３００から供給される電力を分けて配電するための送電用の回路を含む配電路４１０，４２０，４３０（図２参照）を備える。配電路は、各家電に電力を供給する。以下では、配電路４１０，４２０，４３０の各々を区別しない場合には、「配電路」と称する。
【００２５】
電力計測装置５０は、分電盤４０と接続されている。電力計測装置５０は、ＨＥＭＳコントローラ１１と無線通信が可能である。電力計測装置５０は、分電盤４０から受信した各配電路の電流値（電流の計測値）と電圧値（電圧の計測値）とに基づき、各配電路に接続された負荷（家電）に供給される電力、すなわち負荷（家電）による消費電力を計測（計算）する。
【００２６】
端末装置１２は、サーバ装置７０、無線ルータ２０およびインターネット等のネットワークによって、サーバ装置７０と通信することができる。宅内の住人は、サーバ装置７０からデータを受信する場合には、端末装置１２を操作する。端末装置１２は、サーバ装置７０からデータを受信し、受信されたデータを表示する。
【００２７】
端末装置１２は、典型的には、タブレット端末である。なお、端末装置１２は、タブレット端末に限定されず、通信機能と表示機能を有する電子機器であれば、特に限定されるものではない。
【００２８】
ＨＥＭＳコントローラ１１は、端末装置１２からの指令に基づき、家電の動作を制御する。また、ＨＥＭＳコントローラ１１は、電力メータ３０および電力計測装置５０から、消費電力量のデータを受信する。
【００２９】
なお、本実施の形態では、一例として、ＨＥＭＳコントローラ１１、端末装置１２および各家電は、ＥＣＨＯＮＥＴ  Ｌｉｔｅ（登録商標）に対応しているものとして説明する。
【００３０】
＜各機器の具体的構成＞
図２は、電力管理システム１の各機器の具体的構成を説明するためのブロック図である。図２を参照して、電力管理システム１は、上述したように、ＨＥＭＳコントローラ１１、電力メータ３０、分電盤４０、電力計測装置５０、および複数の家電６１，６２，６３を備える。
【００３１】
（ＨＥＭＳコントローラ１１）
ＨＥＭＳコントローラ１１は、制御部１０１、表示部１０２、記憶部１０３、通信部１０４，１０５，１０６、およびタイマ１０７を備える。タイマ１０７は、計測した時間データを制御部１０１に出力する。
【００３２】
記憶部１０３は、オペレーティングシステム、アプリケーションプログラム、各種のデータを記憶している。記憶部１０３は、ＲＯＭ（Read Only Memory）、ＲＡＭ（Random Access Memory）、およびフラッシュメモリ等を含む。
【００３３】
制御部１０１は、ＣＰＵ（Central Processing Unit）１１０１を含む。ＣＰＵ１１０１により、記憶部１０３に記憶されているオペレーティングシステムおよびアプリケーションプログラムが実行されることにより、ＨＥＭＳコントローラ１１の動作が制御される。
【００３４】
表示部１０２は、制御部１０１の指示に基づいて、各種の情報を表示する。
通信部１０４は、無線ルータ２０と通信するためのインターフェイスである。通信部１０５は、電力計測装置５０と通信するためのインターフェイスである。通信部１０５の通信方式として、例えば、ＺｉｇＢｅｅ（登録商標）に準拠した方式が適用される。通信部１０６は、電力メータ３０と通信するためのインターフェイスである。通信部１０６の通信方式として、例えば、Ｗｉ-ＳＵＮ（登録商標）の方式が適用される。
【００３５】
（電力メータ３０）
電力メータ３０は、電力計測部３０１および通信部３０２を備える。分電盤４０で分けられた配電路には、共通の電力メータ３０を介して電力が供給される。電力計測部３０１は、商用電源部３００から宅内の各配電路に供給される電力量、すなわち宅内で使用（消費）されている電力量（単位：ｋＷｈ）を計測する。通信部３０２は、予め定められた時間（例えば、３０分）における消費電力量のデータを、予め定められた時間が経過する毎に、ＨＥＭＳコントローラ１１に送信する。
【００３６】
（分電盤４０）
分電盤４０は、配電路の上流側から順に、主幹ブレーカ（サービスブレーカ）４０１、複数の分岐ブレーカ（安全ブレーカ）４０２，４０３，４０４を含む。分電盤４０には、電力計測装置５０に接続された複数のＣＴ（Current Transformer）センサ４０５，４０６，４０７が設置されている。以下では、分岐ブレーカ４０２，４０３，４０４の各々を区別しない場合には、「分岐ブレーカ」と称する。また、ＣＴセンサ４０５，４０６，４０７の各々を区別しない場合には、「ＣＴセンサ」と称する。
【００３７】
主幹ブレーカ４０１は、電力メータ３０と、分岐ブレーカ４０２，４０３，４０４とに接続されている。主幹ブレーカ４０１は、予め定められた量以上の電流が流れると商用電源部３００から宅内への電力供給を自動的に遮断（電力供給を停止）するための回路を有する。
【００３８】
分岐ブレーカ４０２とＣＴセンサ４０５は配電路４１０に設けられる。また、分岐ブレーカ４０３とＣＴセンサ４０６は、配電路４２０に設けられる。分岐ブレーカ４０４とＣＴセンサ４０７は、配電路４３０に設けられる。分岐ブレーカは、典型的には、分電盤４０から宅内の各部屋へ電力を送る配電路のそれぞれに取り付けられている。
【００３９】
本実施の形態においては、分岐ブレーカ４０２，４０３，４０４の各々は、配電路を介して１つの負荷（家電６１、家電６２、家電６３）に電気的に接続されている。また、ＣＴセンサ４０５，４０６，４０７の各々は、交流電流を計測するための回路である。具体的には、ＣＴセンサ４０５は、分岐ブレーカ４０２と家電６１との間に設置されている。ＣＴセンサ４０６は、分岐ブレーカ４０３と家電６２との間に設置されている。ＣＴセンサ４０７は、分岐ブレーカ４０４と家電６３との間に設置されている。
【００４０】
ＣＴセンサ４０５，４０６，４０７の各々は、対応の配電路における電流を計測する。ＣＴセンサ４０５，４０６，４０７の各々は、計測した電流値を、電力計測装置５０に送信する。
【００４１】
分岐ブレーカは、対応する配電路を開閉する開閉回路を有する。分岐ブレーカは、通常時は、対応の配電路に電流が流れるように開閉回路を閉状態に設定する。開閉回路が閉状態であるとき、当該配電路の家電に電力が供給される。
【００４２】
分岐ブレーカは、開閉回路が閉状態である場合に、当該配電路の家電に過電流が流れると、開閉回路を閉状態から開状態に自動的に切換える。これにより、当該家電への電力の供給は停止する。
【００４３】
また、分岐ブレーカの開閉回路は、ユーザの操作により状態が切換えられる。具体的には、ユーザが、分岐ブレーカを操作すると、当該分岐ブレーカの開閉回路が開状態である場合には、当該開閉回路は開状態から閉状態に切換えられる。同様に、開閉回路が閉状態である場合には、当該開閉回路は閉状態から開状態に切換えられる。
【００４４】
（電力計測装置５０）
電力計測装置５０は、通信部５０１および電力計測回路部５０２，５０３，５０４を備える。電力計測回路部５０２は、配電路４１０を介して家電６１に供給される電力を計測する。電力計測回路部５０３は、配電路４２０を介して家電６２に供給される電力を計測する。電力計測回路部５０４は、配電路４３０を介して家電６３に供給される電力を計測する。
【００４５】
電力計測回路部５０２は、ＣＴセンサ４０５から、計測された電流値を受信する。電力計測回路部５０３は、ＣＴセンサ４０６から、計測された電流値を受信する。電力計測回路部５０４は、ＣＴセンサ４０７から、計測された電流値を受信する。また、電力計測回路部５０２は、分岐ブレーカ４０２とＣＴセンサ４０５との間の配電路４１０における電圧を計測する。電力計測回路部５０３は、分岐ブレーカ４０３とＣＴセンサ４０６との間の配電路４２０における電圧を計測する。電力計測回路部５０３は、分岐ブレーカ４０４とＣＴセンサ４０７との間の配電路４３０における電圧を計測する。
【００４６】
電力計測回路部５０２，５０３，５０４の各々は、対応の配電路のＣＴセンサから受信した電流値と、当該配電路において計測された電圧値とから、電力値（単位：ｋＷ）を算出する。また、電力計測回路部５０２，５０３，５０４の各々は、対応の配電路について算出された電力値を、予め定められた時間（例えば、３０分）に亘り積算することにより、消費電力量（単位：ｋＷｈ）を算出する。
【００４７】
電力計測回路部５０２，５０３，５０４の各々は、消費電力量を算出する毎に、算出された消費電力量のデータを通信部５０１に送る。この消費電力量のデータには、算出された消費電力量の値（以下、電力計測値という）および計測対象とする配電路の識別子が含まれる。この識別子は、電力計測回路部５０２，５０３，５０４の各々の図示しない記憶部に格納されている。
【００４８】
通信部５０１は、電力計測回路部５０２，５０３，５０４の各々から電力計測値を受付ける毎に、当該電力計測値を有するデータ４４０を生成し、生成されたデータ４４０をＨＥＭＳコントローラ１１に送信する。
【００４９】
データ４４０は、例えばパケットの構成を有する。データ４４０のパケットは、電力計測値に対応の配電路の識別子が格納されたフィールドＦ１と、当該電力計測値が格納されたフィールドＦ２を含む。
【００５０】
なお、電力計測装置５０は、分電盤４０と一体化された構成でもよい。
（ＨＥＭＳコントローラ１１の制御部１０１）
図３は、ＨＥＭＳコントローラ１１の制御部１０１の具体的な構成を説明するための機能ブロック図である。図３を参照して、制御部１０１は、第１の取得部８１０、第２の取得部８２０、補正係数取得部８３０、記憶部１０３を制御するための記憶制御部８４０、補正部８６０、および表示部１０２の表示動作を制御する表示制御部８９０を備える。
【００５１】
第１の取得部８１０は、通信部１０６を介して電力メータ３０から宅内の消費電力量のデータを取得する。具体的には、第１の取得部８１０は、通信部１０６を、電力メータ３０の通信部３０２から当該消費電力量のデータを受信するように制御する。
【００５２】
第２の取得部８２０は、電力計測装置５０から電力計測値のデータ４４０を取得する。具体的には、第２の取得部８２０は、通信部１０５を、電力計測装置５０の通信部５０１から電力計測値のデータ４４０を受信するように制御する。
【００５３】
補正係数取得部８３０は、各配電路について上述の補正係数を取得する。補正部８６０は、各配電路について計測された消費電力量（電力計測値）を、補正係数を用いて補正する。補正係数の取得方法および補正の方法の詳細については後述する。
【００５４】
図３のＨＥＭＳコントローラ１１の各部の機能は、各ハードウェアおよびＣＰＵ１１０１により実行されるソフトウェア（プログラムとデータ）によって実現される。このようなソフトウェアは、記憶部１０３に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムおよびデータとして提供される場合もある。このようなソフトウェアは、読取装置によりその記憶媒体から読み取られて、あるいは、通信部１０４などを介してダウンロードされた後、記憶部１０３に一旦格納される。そのソフトウェアは、ＣＰＵ１１０１によって記憶部から読出される。ＣＰＵ１１０１は、読出されたプログラムを実行する。
【００５５】
（テーブルの内容）
図４は、本発明の実施の形態に係る補正係数テーブル８７０の一例を示す図である。図５は、本発明の実施の形態に係る補正後電力値テーブル８８０の一例を示す図である。記憶部１０３は、補正係数テーブル８７０、および補正後電力値テーブル８８０を記憶する。補正係数テーブル８７０および補正後電力値テーブル８８０のデータは、記憶制御部８４０により読出される。また、補正係数テーブル８７０および補正後電力値テーブル８８０には、記憶制御部８４０によりデータが書込まれる（登録される）。
【００５６】
図４を参照して、補正係数テーブル８７０には、配電路４１０，４２０，４３０のそれぞれに対応して、当該配電路の識別子８７１、および補正係数８７３が登録される。
【００５７】
図５を参照して、補正後電力値テーブル８８０は、配電路４１０，４２０，４３０のそれぞれに対応して、当該配電路の識別子８８１、および補正後の消費電力量を示す電力値８８３が登録される。
【００５８】
（補正係数の取得と補正）
本実施の形態の背景として、商用電源部３００の電力会社は、電力メータ３０により計測された電力量に基づき、ユーザに電力料金を請求する。したがって、ユーザは、電力メータ３０により計測された電力量の内訳を知りたいとの要望がある。たとえば、電力メータ３０により計測された電力量に適切に対応する配電路ごとの消費電力量が分かれば、電力料金の内訳を知ることができる。また、複数の他人が建物９００の住宅をシェアする場合（シェアハウス）には、部屋毎またはユーザ毎の消費電力量の適切な値（電気料金）を知りたいとの要望もある。
【００５９】
しかし、電力メータ３０の電力計測部３０１の回路と、各配電路の計測回路（電力計測回路部、ＣＴセンサ等）は、回路または部品のばらつきによる一定の傾向をもった誤差（以下、傾向的誤差ともいう）を有する。この傾向的誤差により、電力メータ３０により計測される電力量と、各配電路において計測される電力量とに違いが生じる。
【００６０】
本実施の形態では、上述の要望に応えるために、各配電路について計測された消費電力量は、上記の傾向的誤差に鑑みた補正係数を用いて補正される。以下に、補正係数取得部８３０による補正係数の取得および補正部８６０による電力量の補正について説明する。
【００６１】
まず、補正係数の取得方法を説明する。補正係数取得部８３０は、後述の設置モードにおいて、第１の取得部８１０からの電力量Ａおよび第２の取得部８２０からの電力量Ｂから、補正係数を取得する。補正係数は、各配電路について、当該配電路について計測された電力量を、電力メータ３０により計測された電力量に一致またはできるだけ一致するように対応させるように補正するための演算式に用いられる係数である。電力量Ａは、商用電源部３００から宅内に供給される電力量であって、電力メータ３０により計測された電力量を示す。電力量Ｂは、各配電路について計測された電力量を示す。
【００６２】
まず、配電路４１０について補正係数を取得する場合を説明する。ユーザは、計測対象を配電路４１０に設定するために分岐路切換え操作を行う。具体的には、ユーザは、分岐ブレーカ４０２の開閉回路は閉状態に設定され、他の分岐ブレーカ４０３，４０４の開閉回路は開状態に設定されるように、分岐ブレーカ４０２，４０３および４０４を操作する。これにより、商用電源部３００からの電力は、配電路４１０，４２０，４３０のうち配電路４１０の家電６１のみ供給される状態となる。
【００６３】
この状態において、補正係数取得部８３０は、第１の取得部８１０からの電力量Ａ、および第２の取得部８２０からの電力量（すなわち、配電路４１０について計測された電力量）Ｂを用いて、（電力量Ａ／電力量Ｂ）の演算式に従い、配電路４１０の補正係数を算出する。
【００６４】
配電路４２０，４３０の各々について、上記に述べた配電路４１０の方法と同様にして、ユーザにより分岐路切換え操作が行われて、補正係数取得部８３０により、補正係数が取得される。補正係数取得部８３０は、配電路４１０，４２０，４３０の各々について取得された補正係数を、当該配電路の識別子と関連付けて、記憶制御部８４０に出力する。
【００６５】
記憶制御部８４０は、補正係数取得部８３０からの識別子および補正係数を、補正係数テーブル８７０に、識別子８７１および補正係数８７３として、それぞれ登録する。
【００６６】
なお、補正係数取得部８３０による補正係数の取得方法は、上述した演算式によるものに限定されない。例えば、補正係数取得部８３０は、補正係数が登録されたテーブルを、電力量Ａと電力量Ｂに基づき検索し、検索の結果に基づき、当該テーブルから補正係数を読出す。
【００６７】
次に、補正処理について説明する。補正部８６０は、後述の稼働モードにおいて、各配電路について計測された電力量を、補正係数テーブル８７０の補正係数８７３を用いて、補正する。例えば、（（各配電路で計測された電力量）×当該配電路の補正係数８７３）の演算に従い、補正後の電力値を算出する。補正部８６０は、補正後の電力値を補正の対象となった配電路の識別子とともに記憶制御部８４０に出力する。
【００６８】
記憶制御部８４０は、補正部８６０からの識別子と補正後の電力値を、補正後電力値テーブル８８０に、識別子８８１および電力値８８３としてそれぞれ登録する。なお、補正後電力値テーブル８８０に、補正部８６０からの識別子を示す識別子８８１が既に格納されている場合には、記憶制御部８４０は、識別子８８１に対応の電力値８８３に、補正後の電力値を加算することにより、当該電力値８８３を書換える。したがって、書換え後の電力値８８３により、積算された電力値が示される。
【００６９】
（動作モード）
本実施の形態に係るＨＥＭＳコントローラ１１は、設置モードと稼働モードとを含む複数の動作モードを有する。設置モードは、例えば、各配電路に電力計測回路（ＣＴセンサ４０５，４０６，４０７等）が設置されるときに、当該配電路の補正係数を取得するための動作モードである。設置モードは、「補正係数取得モード」の一実施例である。稼働モードは、各配電路に電力計測回路が設置された後に、電力計測値を補正係数を用いて補正するための動作モードである。稼働モードは、「補正モード」の一実施例である。ユーザは、ＨＥＭＳコントローラ１１の図示しないスイッチを操作することにより、動作モードの切替指令を、制御部１０１に与えることができる。
【００７０】
（フローチャート）
図６は、本発明の実施の形態に係る設置モードの処理を示すフローチャートである。図６を参照して、設定モードの処理を説明する。まず、ユーザにより分岐路切換え操作が行われる（ステップＳ１）。以降の処理は、切換えられた配電路を対象に実施される。
【００７１】
制御部１０１の第１の取得部８１０は、通信部１０６を介して電力メータ３０によって計測された電力値を取得する（ステップＳ３）。また、制御部１０１の第２の取得部８２０は、通信部１０５を介して電力計測装置５０から、切換後の配電路について計測された電力値のデータ４４０を取得する（ステップＳ５）。
【００７２】
制御部１０１の補正係数取得部８３０は、ステップＳ３とＳ５で取得された電力値に基づき、上記のように補正係数を取得する（ステップＳ７）。取得された補正係数は、記憶制御部８４０により補正係数テーブル８７０に登録される（ステップＳ９）。
【００７３】
その後、制御部１０１は、処理を終了するか否かを判断する（ステップＳ１１）。例えば、制御部１０１は、補正係数テーブル８７０の内容に基づき、すべての配電路の補正係数が補正係数テーブル８７０に格納されていると判断すると（ステップＳ１１でＹＥＳ）、処理を終了させる。
【００７４】
一方、制御部１０１は、補正係数テーブル８７０の内容に基づき、すべての配電路について補正係数が登録されていないと判断すると（ステップＳ１１でＮＯ）、処理をステップＳ１に戻す。ステップＳ１では、ユーザは、次の配電路に切換えるために、分岐路切換え操作を行う。以降は、切換えられた次の配電路を対象に上述と同様に、補正係数の取得処理が実施される（ステップＳ３〜Ｓ１１）。
【００７５】
図６の処理が終了すると、補正係数テーブル８７０への、配電路４１０，４２０，４３０の補正係数の登録が完了する（図４参照）。
【００７６】
図７は、本発明の実施の形態に係る稼働モードの処理を示すフローチャートである。図７を参照して、稼働モードの処理を説明する。まず、制御部１０１の第２の取得部８２０は、通信部１０５を介して各配電路の電力計測値のデータ４４０を取得する（ステップＳ２３）。
【００７７】
補正部８６０は、取得されたデータ４４０のフィールドＦ１の識別子に対応の補正係数を、記憶制御部８４０を介して記憶部１０３から読出す（ステップＳ２５）。具体的には、記憶制御部８４０は、当該識別子に一致した識別子８７１に対応の補正係数８７３を補正係数テーブル８７０から読出す。
【００７８】
制御部１０１は、当該データ４４０のフィールドＦ２の電力値と、ステップＳ２５で読出された補正係数とに基づき、上述の補正演算を行なう（ステップＳ２７）。
【００７９】
補正演算により算出された補正後の電力値は、補正後電力値テーブル８８０に格納される（ステップＳ２９）。具体的には、記憶制御部８４０は、補正後電力値テーブル８８０を検索する。記憶制御部８４０は、検索結果に基づき、上記のデータ４４０のフィールドＦ１の識別子に一致した識別子８８１に対応の電力値８８３に、補正後の電力値を加算する。
【００８０】
制御部１０１は、処理を終了するか否かを判断する（ステップＳ３１）。具体的には、制御部１０１は、動作モードが、稼働モードから他の動作モードに切換えられたと判断した場合には、処理を終了すると判断する（ステップＳ３１でＹＥＳ）。一方、稼働モードから他の動作モードへの切替えが判断されない間は（ステップＳ３１でＮＯ）、処理はステップＳ２３に戻り、以降の処理が繰返される。
【００８１】
このように、各配電路について、その電力計測回路（電力計測回路部、ＣＴセンサ等）が有する回路または部品のばらつきなどによる傾向的誤差に基づく、消費電力量の補正を実施することができる。
【００８２】
図６と図７のフローチャートに従うプログラムは、ＨＥＭＳコントローラ１１の記憶部１０３に予め格納される。ＣＰＵ１１０１は、記憶部１０３から当該プログラムを読出し、読出されたプログラムを実行することにより電力管理の処理が実現される。
【００８３】
（電力値の表示）
図８は、本発明の実施の形態に係る補正後の消費電力値の表示例を示す図である。制御部１０１は、記憶制御部８４０を介して、補正後電力値テーブル８８０から、各配電路に対応の識別子８８１と電力値８８３を読出す。制御部１０１は、読出された識別子８８１を対応の部屋名に変換する。この変換は、例えば、制御部１０１は、記憶部１０３に予め格納された変換テーブル（識別子と部屋名を対応付けたテーブル）を、補正後電力値テーブル８８０から読出された識別子８８１に基づき検索し、検索結果に基づき、変換テーブルから部屋名を読出すことにより実施される。
【００８４】
上記では配電路に関する識別子として、部屋名を示したが、当該識別子は部屋名に限定されず、ユーザ名（各配電路を使用するユーザの識別子）であってもよい。具体的には、制御部１０１は、記憶部１０３に予め格納された変換テーブル（識別子８８１とユーザ名を対応付けたテーブル）を、補正後電力値テーブル８８０から読出された識別子８８１に基づき検索し、検索結果に基づき、変換テーブルからユーザ名を読出すことにより実施される。表示制御部８９０は、補正後の電力値８８３に基づく情報を変換後のユーザ名と関連付けて表示するように、表示部１０２を制御する。これにより、表示部１０２には、ある期間について計測された各ユーザの消費電力量について、補正後の消費電力量が一覧で表示される（図８参照）。図８では、全ての部屋の補正後の消費電力値を一覧で表示しているが、表示態様は、一覧表示に限定されない。
【００８５】
表示制御部８９０は、補正後の電力値８８３に基づく情報を変換後の部屋名と関連付けて表示するように、表示部１０２を制御する。これにより、表示部１０２には、ある期間について計測された各部屋の消費電力量について、補正後の消費電力量が一覧で表示される（図８参照）。図８では、全ての部屋の補正後の消費電力値を一覧で表示しているが、表示態様は、一覧表示に限定されない。
【００８６】
また、各部屋の消費電力を合計した値を、宅内の総消費電力量として表示してもよい。また、補正後の消費電力量とともに、または当該消費電力量とは個別に、当該消費電力量に基づく電力料金が表示されてもよい。
【００８７】
なお、表示制御部８９０は、「出力制御部」の一実施例である。また、表示部１０２は「出力部」の一実施例である。
【００８８】
また、図８の情報の表示先は、端末装置１２であってもよい。この場合には、ＨＥＭＳコントローラ１１は、補正後電力値テーブル８８０のデータを、無線ルータ２０を経由してサーバ装置７０に送信する。サーバ装置７０は、ＨＥＭＳコントローラ１１からの補正後電力値テーブル８８０のデータから、図８の一覧表を表示するための表示用データを生成する。端末装置１２は、サーバ装置７０が生成した表示用データに基づき、画面に図８の一覧表を表示する。
【００８９】
建物９００の住宅がシェアハウスとして利用されている場合には、各利用者は、図８の情報から、自己の部屋の正確な消費電力量を知ることができる。
【００９０】
なお、実施の形態１では、補正係数の取得および補正処理において、消費電力量（単位：ｋＷｈ）を用いたが、消費電力量に代えて、瞬間消費電力（単位：ｋＷ）を用いてもよい。また、図２では、配電路４１０，４２０および４３０の全てにＣＴセンサが設置されたが、配電路４１０，４２０および４３０のうちの１つにのみＣＴセンサと電力計測回路部が設置されてもよい。この場合には、当該１つの配電路のみについて、補正係数の取得と補正処理が実施される。
【００９１】
[実施の形態２]
本実施の形態２は、実施の形態１の変形例を示す。
【００９２】
実施の形態１では、ＨＥＭＳコントローラ１１において電力管理装置の機能（補正係数の取得と、補正処理）を実現させたが、ＨＥＭＳコントローラ１１に代えて、電力計測装置５０により当該実現電力管理装置の機能を実現してもよい。この場合、電力計測装置５０の図示しないプロセッサは、通信部５０１により、ＨＥＭＳコントローラ１１を介して、電力メータ３０から計測された電力値を受信することができる。
【００９３】
また、ＨＥＭＳコントローラ１１において電力管理装置のうちの補正係数の取得処理が実施されて、電力計測装置５０において電力管理装置のうちの補正処理が実施されてもよい。
【００９４】
[実施の形態３]
本実施の形態３では、実施の形態１と２の変形例が示される。実施の形態３では、実施の形態１と２により取得された各配電路の補正係数が評価される。例えば、ＣＰＵ１１０１は、補正係数取得部８３０により取得された補正係数と閾値とを比較し、比較結果に基づき、（補正係数＞閾値）の条件が成立すると判断した場合には、表示部１０２に、当該配電路の識別子とともに警告情報を表示する。警告情報は、当該配電路の電力計測回路（ＣＴセンサ等）の傾向的誤差が閾値より大きい旨のメッセージを含む。
【００９５】
したがって、表示される警告情報によって、ユーザに対し、当該配電路の電力計測回路の故障の有無を判断するための支援情報が提供される。
【００９６】
[実施の形態４]
実施の形態４では、上述の各実施の形態の変形例が示される。実施の形態１では、分岐路切換え操作により、配電路４１０，４２０，４３０のいずれか１つに家電が接続される状態が設定されたが、当該状態の設定方法はこれに限定されない。例えば、分岐路切換え操作に代わって、配電路４１０，４２０，４３０のいずれか１つにのみ家電を接続し、他の配電路からは家電を取外す（家電を接続しない）方法であってもよい。
【００９７】
また、補正係数の取得のタイミングは、設置モードの１回に限定されない。例えば、定期的に、補正係数を取得するようにしてもよい。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  電力管理システム、１１  ＨＥＭＳコントローラ、１２  端末装置、２０  無線ルータ、３０  電力メータ、４０  分電盤、５０  電力計測装置、６１，６２，６３  家電、７０  サーバ装置、３００  商用電源部、３０１  電力計測部（電力メータ）、５０２，５０３，５０４  電力計測回路部、４０１  主幹ブレーカ、４０２，４０３，４０４  分岐ブレーカ、４０５，４０６，４０７  ＣＴセンサ、４１０，４２０，４３０  配電路、４４０  データ、８１０  第１の取得部、８２０  第２の取得部、８３０  補正係数取得部、８４０  記憶制御部、８６０  補正部、８７０  補正係数テーブル、８８０  補正後電力値テーブル。
【図１】
2016185036.tif 000003
【図２】
2016185036.tif 000004
【図３】
2016185036.tif 000005
【図４】
2016185036.tif 000006
【図５】
2016185036.tif 000007
【図６】
2016185036.tif 000008
【図７】
2016185036.tif 000009
【図８】
2016185036.tif 000010